(57)【要約】【課題】  コイン精米機では、色彩選別を行わせる使用頻度は少いものであるから、この色彩選別を行わないで精米作用のみ行わせる場合の、精米処理を迅速に高能率に行わせることが望ましい。【解決手段】  供給ホッパー１から供給される玄米を精米する精米装置２と、この精米装置２で精米される白米を色彩選別する色彩選別装置３と、前記精米装置２で精米された白米、又は色彩選別装置３で選別された白米を受ける白米タンク４と、前記精米装置２で精米された白米を白米タンク４と色彩選別装置３へ切換搬送する白米搬送経路５等を備え、この白米搬送経路５には切換スイッチ６の操作により切換えられる切換弁７を設けて、この切換弁７の切換えによって、精米された白米を直接前記白米タンク４へ取出したり、色彩選別装置３を経由して白米タンク４へ取出可能に切換える構成とする。【選択図】  図１
2010194431.tif 000002
【特許請求の範囲】
【請求項１】
供給ホッパー（１）から供給される玄米を精米する精米装置（２）と、この精米装置（２）で精米される白米を色彩選別する色彩選別装置（３）と、前記精米装置（２）で精米された白米、又は色彩選別装置（３）で選別された白米を受ける白米タンク（４）と、前記精米装置（２）で精米された白米を白米タンク（４）と色彩選別装置（３）へ切換搬送する白米搬送経路（５）等を備え、この白米搬送経路（５）には切換スイッチ（６）の操作により切換えられる切換弁（７）を設けて、この切換弁（７）の切換えによって、精米された白米を直接前記白米タンク（４）へ取出したり、色彩選別装置（３）を経由して白米タンク（４）へ取出可能に切換えることを特徴とするコイン精米機。
【請求項２】
前記供給ホッパー（１）、精米装置（２）、色彩選別装置（３）、及び白米タンク（４）を内装の精米建屋（８）に選別建屋（９）を隣接して設け、この選別建屋（９）内に前記色彩選別装置（３）を設けて、これら精米建屋（８）内の精米装置（２）と、選別建屋（９）内の色彩選別装置（３）との間に白米供給搬送装置（１０）を設け、白米タンク（４）と色彩選別装置（３）との間に白米取出搬送装置（１１）を設けたことを特徴とする請求項１に記載のコイン精米機。
【請求項３】
前記白米タンク（４）を、精米建屋（８）内の選別建屋（９）隣接側の側壁（１２）内側部近くに設けたことを特徴とする請求項２に記載のコイン精米機。
【発明の詳細な説明】
【技術分野】
【０００１】
この発明は、精米した白米を色彩選別可能とするコイン精米機に関する。
【背景技術】
【０００２】
精米装置で精米した白米を色彩選別装置に供給して、色彩選別させる技術（例えば特許文献１参照）が知られている。
【先行技術文献】
【特許文献】
【０００３】
【特許文献１】特開２００５ー２１１７５１号公報（第１頁、図１）。
【発明の概要】
【発明が解決しようとする課題】
【０００４】
コイン精米機では、色彩選別を行わせる使用頻度は少いものであるから、この色彩選別を行わないで精米作用のみ行わせる場合の、精米処理を迅速に高能率に行わせることが望ましい。
【課題を解決するための手段】
【０００５】
請求項１に記載の発明は、供給ホッパー１から供給される玄米を精米する精米装置２と、この精米装置２で精米される白米を色彩選別する色彩選別装置３と、前記精米装置２で精米された白米、又は色彩選別装置３で選別された白米を受ける白米タンク４と、前記精米装置２で精米された白米を白米タンク４と色彩選別装置３へ切換搬送する白米搬送経路５等を備え、この白米搬送経路５には切換スイッチ６の操作により切換えられる切換弁７を設けて、この切換弁７の切換えによって、精米された白米を直接前記白米タンク４へ取出したり、色彩選別装置３を経由して白米タンク４へ取出可能に切換えることを特徴とするコイン精米機の構成とする。玄米を供給ホッパー１へ供給して、切換スイッチ６を精米位置へ操作すると、供給ホッパー１の玄米が、精米装置２へ搬送供給されて、所定の精白度に精米されて、精米搬送経路５へ送出されて、切換弁７によって白米タンク４へ取出案内される。又、前記切換スイッチ６を色彩選別位置へ操作した場合は、精米装置２から白米搬送経路５へ送出された白米は、切換弁７によって色彩選別装置３へ搬送案内されて、この色彩選別装置３によって色彩選別されて、この色彩選別を受けた精選白米が白米タンク４へ取出される。
【０００６】
請求項２に記載の発明は、前記供給ホッパー１、精米装置２、色彩選別装置３、及び白米タンク４を内装の精米建屋８に選別建屋９を隣接して設け、この選別建屋９内に前記色彩選別装置３を設けて、これら精米建屋８内の精米装置２と、選別建屋９内の色彩選別装置３との間に白米供給搬送装置１０を設け、白米タンク４と色彩選別装置３との間に白米取出搬送装置１１を設けたことを特徴とする。前記のように単に精米作業のみ行うときは、切換弁７の操作によって精米装置２で精米した白米を白米搬送経路５からこの精米建屋８内の白米タンク４へ直接搬送して収容させる。又、精米直後の白米を色彩選別処理するときは、前記切換弁７によって精米白米を、この白米搬送経路５の白米供給搬送装置１０を経て隣接の選別建屋、９内の色彩選別装置３へ供給して、色彩選別処理する。ここで色彩選別された白米が白米取出搬送装置１１を経て精米建屋８内の白米タンク４へ搬送収容される。
【０００７】
請求項３に記載の発明は、前記白米タンク４を、精米建屋８内の選別建屋９隣接側の側壁１２内側部近くに設けたことを特徴とする。前記のように精米建屋８内の精米装置２から取出される白米は、白米搬送経路５の切換弁７の切換えによって、この精米建屋８内の白米タンク４内へ搬送収容されたり、又、選別建屋９内の色彩選別装置３を経てこの精米建屋８内の白米タンク４内へ搬送収容される。これら各白米タンク４への白米の搬送収容においては、この白米タンク４が、精米建屋８内の選別建屋９の隣接側に位置する側壁１２近傍部位置に設けられているため、各精米装置２や、色彩選別装置３等との間の間隔を短縮して、これら各建屋８、９相互間の白米供給搬送装置１０や、白米取出搬送装置１１等の搬送距離を短かくする。
【発明の効果】
【０００８】
請求項１に記載の発明は、切換スイッチ６による切換弁７の切換えによって、精米装置２から取出される白米を、直接白米タンク４へ取出すため、白米に損傷を与えないで、迅速で高能率の精米処理を行うことができ、又、この白米の精選を行うときは、精米装置２から取出される白米を、切換弁７の切換えによって案内される白米搬送経路５を経て色彩選別装置３へ供給して選別処理しながら、異色白米の混入のない精選白米として白米タンク４へ取出すことができ、高精度の選別を行うことができ、簡単な切換操作によって、精米、及び精米選別処理を必要に応じて選択して、効率的に行わせることができる。
【０００９】
請求項２に記載の発明は、色彩選別装置３を内装する選別建屋９を、精米装置２や白米タンク４等を内装の精米建屋８とは別棟形態に構成するため、色彩選別装置３を必要に応じて設置可能の付加形態として、この色彩選別装置３が不要な場合は、選別建屋９を除いた精米建屋８単体の形態として、簡単、小形で、安価な構成とすることができ、色彩選別装置３を設置する場合も、白米供給搬送装置１０や白米取出搬送装置１１等を設ける簡単な付加的、後付加工によって安価に構成することができる。
【００１０】
請求項３に記載の発明は、精米建屋８内の精米装置２や白米タンク４と、選別建屋９内の色彩選別装置３との間の配置位置を、精米建屋８の側壁１２側へ接近させることに相互間隔を短縮して、これら精米建屋８と選別建屋９との間にわたって構成する白米供給搬送装置１０や、白米取出搬送装置１１等を短くすることができ、白米の受ける損傷を少なくすることができ、構成をコンパクトで、安価な構成とすることができる。
【図面の簡単な説明】
【００１１】
【図１】コイン精米機の平面配置図。
【図２】コイン精米機の精米行程を示すブロック図。
【図３】コイン精米機の正面図。
【図４】エコ袋の斜視図
【発明を実施するための形態】
【００１２】
図面に基づいて、比較的低く、狭いストッカハウス形態の精米建屋８と選別建屋９とを左右に接近させて並置する。精米建屋８は、正面に開閉可能の引きドア１３を有し、内部は仕切壁１４を介して前後に仕切り、入口側の作業室１５と、奥側の機械室１６を仕切形成する。前記仕切壁１４の幅方向中央部には、操作パネル１７を設け、この操作パネル１７には、精米作業を行わせるための必要コインを投入するコインメック１８や、バーコードリーダ１９、精白度合を指定する精白度設定スイッチ２０、及び、精米装置２で精米した白米を色彩選別装置３へ供給して色彩選別を行わせるように切換可能の切換スイッチ６等を配置する。このような操作パネル１７の左手側に玄米、又は籾米等を供給する供給ホッパー１を設け、又、右手側に白米タンク４を設け、この白米タンク４の上方には精米装置２の白米搬送経路５の白米取出シュータ２１をのぞませ、この白米タンク４の排出口２２下方には、これから排出される白米を収容する袋を支持する袋ホルダ２３を有する。選別建屋９は、精米装置２と白米タンク４の位置する側壁１２の外側に接近して同敷地床面上に配置する。
【００１３】
前記機械室１６には、前記仕切壁１４内側に沿う供給ホッパー１、及び白米タンク４等の他に、精米装置２、石抜装置２５、及びこれらの間を搬送するエレベータ２６、２７等を配置する。供給ホッパー１の底部には、オーガ２８を有し、このオーガ２８の駆動によって供給ホッパー１内に供給された玄米をエレベータ２６へ搬送する。石抜装置２５は、前記エレベータ２６から搬送される玄米を受けて揺動することにより、砂礫類や、わら屑等を選別除去するもので、この石抜選別を受けた玄米を、玄米排出口２９からエレベータ２７へ取出して、精米装置２の精米ホッパー３０へ供給する。この精米装置２は、この精米ホッパー３０から供給される玄米を除糠網で囲まれた精米室内に案内して、この精米室内で回転する精米転子と、この除糠網との間の摩擦抵抗によって精米するもので、玄米を精米室内に一回通しするだけで精米を完了するものである。この精米室の出口部には圧力蓋が設けられ、この圧力蓋の圧力を調節して、摩擦精米度を設定することができる。精米除糠された精白米が精米排出口３１から取出されて、白米搬送経路５を搬送される。
【００１４】
前記精米排出口３１をのぞませる白米搬送経路５には、白米タンク２１にのぞむ白米取出シュータ２１と、色彩選別装置３にのぞむ白米供給搬送装置１０を分岐構成し、この分岐部に切換弁７を設けて、精米排出口３１から取出された白米を、白米タンク４側へ直接搬送させたり、色彩選別装置３側へ搬送させることができる。この切換弁７の切換操作は、操作パネル１７の切換スイッチ６を押し操作することによって、電磁的に切換えられる。
【００１５】
前記色彩選別装置３は、白米一粒毎の外周面の色彩を検出する色彩センサと、この色彩センサによる色彩検出に基づいて、白米から異色白米を選別排出する選別機構とを有し、選別された精選白米を、スロワー等からなる白米取出搬送装置１１を経て白米タンク４へ搬送する。この色彩選別装置３は、精米建屋８とは別棟の選別建屋９に設けるため、これら色彩選別装置３と、精米装置２、及び白米タンク４との間の、白米供給搬送装置１０や、白米取出搬送装置１１等をシュータ形態等で構成できるが、精米建屋８の側壁１２と、選別建屋９との間では一部棟外へ露出することとなるため、この棟外へ露出する部分を筒状カバー等で被覆する。
【００１６】
ここにおいて、このコイン精米機は、供給ホッパー１から供給される玄米を精米する精米装置２と、この精米装置２で精米される白米を色彩選別する色彩選別装置３と、前記精米装置２で精米された白米、又は色彩選別装置３で選別された白米を受ける白米タンク４と、前記精米装置２で精米された白米を白米タンク４と色彩選別装置３へ切換搬送する白米搬送経路５等を備え、この白米搬送経路５には切換スイッチ６の操作により切換えられる切換弁７を設けて、この切換弁７の切換えによって、精米された白米を直接前記白米タンク４へ取出したり、色彩選別装置３を経由して白米タンク４へ取出可能に切換えることを特徴とするコイン精米機の構成とする。玄米を供給ホッパー１へ供給して、切換スイッチ６を精米位置へ操作すると、供給ホッパー１の玄米が、精米装置２へ搬送供給されて、所定の精白度に精米され、精米搬送経路５へ送出されて、切換弁７によって白米タンク４へ取出案内される。又、前記切換スイッチ６を色彩選別位置へ操作した場合は、精米装置２から白米搬送経路５へ送出された白米は、切換弁７によって色彩選別装置３へ搬送案内されて、この色彩選別装置３によって色彩選別されて、この色彩選別を受けた精選白米が白米タンク４へ取出される。
【００１７】
又、前記供給ホッパー１、精米装置２、色彩選別装置３、及び白米タンク４を内装の精米建屋８に選別建屋９を隣接して設け、この選別建屋９内に前記色彩選別装置３を設けて、これら精米建屋８内の精米装置２と、選別建屋９内の色彩選別装置３との間に白米供給搬送装置１０を設け、白米タンク４と色彩選別装置３との間に白米取出搬送装置１１を設ける。前記のように単に精米作業のみ行うときは、切換弁７の操作によって精米装置２で精米した白米を白米搬送経路５からこの精米建屋８内の白米タンク４へ直接搬送して収容させる。又、精米直後の白米を色彩選別処理するときは、前記切換弁７によって精米白米を、この白米搬送経路５の白米供給搬送装置１０を経て隣接の選別建屋、９内の色彩選別装置３へ供給して、色彩選別処理する。ここで色彩選別された白米が白米取出搬送装置１１を経て精米建屋８内の白米タンク４へ搬送収容させる。
【００１８】
又、前記白米タンク４を、精米建屋８内の選別建屋９隣接側の側壁１２内側部近くに設ける。前記のように精米建屋８内の精米装置２から取出される白米は、白米搬送経路５の切換弁７の切換えによって、この精米建屋８内の白米タンク４内へ搬送収容されたり、又、選別建屋９内の色彩選別装置３を経てこの精米建屋８内の白米タンク４内へ搬送収容される。これら各白米タンク４への白米の搬送収容においては、この白米タンク４が、精米建屋８内の選別建屋９の隣接側に位置する側壁１２近傍部位置に設けられているため、各精米装置２や、色彩選別装置３等との間の間隔を短かくして、これら各建屋８、９相互間の白米供給搬送装置１０や、白米取出搬送装置１１等の搬送距離を短かくする。
【００１９】
前記のように、切換スイッチ６の操作によって、白米搬送経路５の切換弁７を白米タンク４側と、色彩選別装置３側とに切換えて、単なる精米作用を行わせたり、又は、精米と色彩選別を行って精選白米を得るように選択操作することができる。
【００２０】
ここで、このコイン精米機の利用者が、継続使用するときは、得意先用として所定のバーコード３２を付したバーコードカード３３を用意し、精米を行うときに精米利用者が、このバーコードカード３３を操作パネル１７のバーコードリーダ１９に当てることによって、精米料金の割引サービスを受けることができる。このバーコードカード３３は、玄米、又は白米等を入れるためのエコ袋３４等の外側に添付しておくこともできる。３５は袋口３６を閉鎖する袋口紐である。
【符号の説明】
【００２１】
１    供給ホッパー
２    精米装置
３    色彩選別装置
４    白米タンク
５    白米搬送経路
６    切換スイッチ
７    切換弁
８    精米建屋
９    選別建屋
１０    白米供給搬送装置
１１    白米取出搬送装置
１２    側壁
【図１】
2010194431.tif 000003
【図２】
2010194431.tif 000004
【図３】
2010194431.tif 000005
【図４】
2010194431.tif 000006